(57)【要約】【課題】近接して配置したリモコン受光部間において、一のリモコン受光部から侵入した赤外線ノイズにより他のリモコン受光部を通してのリモコン操作が阻害されることを防止するようにしたリモコン受光装置及びこれを搭載した電子機器を提供する。【解決手段】本発明に係るリモコン受光装置は、電子機器の外板を成す筐体１０と、受光窓３１，４１と受光素子３２，４２を有する複数のリモコン受光部３，４と、複数のリモコン受光部３，４の受光素子３２，４２を取り付けた基板５とを備えている。そして、一のリモコン受光部３，４の受光窓３１，４１から侵入した赤外線ノイズ６１が他のリモコン受光部３，４の受光素子３２，４２へ伝搬することを阻止するための伝搬阻止部材１００が設けられている。また、本発明に係る投写型映像表示装置１は、このようなリモコン受光装置を搭載したものである。【選択図】図１
2011070015.tif 000002
【特許請求の範囲】
【請求項１】
電子機器の外板を成す筐体と、この筐体に設けられた受光窓及びこの受光窓に対面するように前記筐体内に配置された受光素子を含む、複数のリモコン受光部と、この複数のリモコン受光部の受光素子を取り付けた基板とを備えたリモコン受光装置であって、
一のリモコン受光部の受光窓から筐体内に侵入した赤外線ノイズが他のリモコン受光部の受光素子へ伝搬することを阻止するための伝搬阻止部材が設けられている
ことを特徴とするリモコン受光装置。
【請求項２】
前記複数の受光窓は、互いに連結されずに独立に前記筐体に形成されていることを特徴とする請求項１記載のリモコン受光装置。
【請求項３】
前記伝搬阻止部材は、前記筐体を利用して他のリモコン受光部への赤外線ノイズの伝搬を阻止するように形成されていることを特徴とする請求項１又は２記載のリモコン受光装置。
【請求項４】
前記伝搬阻止部材は、前記基板を利用して他のリモコン受光部への赤外線ノイズの伝搬を阻止するように形成されていることを特徴とする請求項１〜３の何れか１項に記載のリモコン受光装置。
【請求項５】
前記伝搬阻止部材は、基板上においてリモコン受光部間を仕切る仕切壁を利用して他のリモコン受光部への赤外線ノイズの伝搬を阻止するように形成されていることを特徴とする請求項１〜４の何れか１項に記載のリモコン受光装置。
【請求項６】
前記仕切壁は、その一端が受光窓間の筐体に対し当接又は近接するように配置されていることを特徴とする請求項５記載のリモコン受光装置。
【請求項７】
前記伝搬阻止部材は、前記基板に取り付けられた受光素子を覆うように基板に対して取り付けられる覆部材を含むことを特徴とする請求項１〜６の何れか１項に記載のリモコン受光装置。
【請求項８】
前記伝搬阻止部材は、受光窓周囲の筐体部分と覆部材との間に形成される隙間が、覆部材内の空間を含む受光窓の内側の空間と覆部材の外側の空間との赤外線ノイズ伝搬経路となることを阻止するための封鎖部材を含むことを特徴とする請求項７記載のリモコン受光装置。
【請求項９】
請求項１〜８の何れか１項に記載のリモコン受光装置を搭載したことを特徴とする電子機器。
【請求項１０】
前記電子機器は投写型映像表示装置であることを特徴とする請求項９記載の電子機器。
【発明の詳細な説明】
【技術分野】
【０００１】
本発明は、赤外線リモコンを用いたリモコン受光装置及びこれを用いた電子機器に係り、特に、多方向からリモコン操作を可能とするために複数のリモコン受光部を備えたリモコン受光装置及びこれを用いた電子機器に関する。
【背景技術】
【０００２】
従来、赤外線リモコンは投写型映像表示装置などの電子機器などにおいて多く用いられている。また、リモコンとリモコン受光部とは一対一の組み合わせで用いられると限られるわけではない。例えば、特許文献１には、リモコンから送信されたリモコンコード信号を受信する複数の受信部を備えた画像表示装置が記載されている。この画像表示装置の信号受信装置は、複数のリモコンからのリモコンコード信号を複数の受信部で受信した場合であっても、複数のリモコンによる操作が交互に採用され、ユーザの意図しない動作が実行されてしまうことを防止するようにしたものである。
【先行技術文献】
【特許文献】
【０００３】
【特許文献１】特開２００９−２１６８７号公報
【発明の概要】
【発明が解決しようとする課題】
【０００４】
ところで、電子機器として投写型映像表示装置を例に考えると、以下のようなニーズがある。図６（ａ）の参考例に示すように、投写型映像表示装置１において、リモコン２のリモコン受光部３は、外板を成す筐体１０の正面板１１側に取り付けられているものが多い。しかしながら、図６（ｂ）の参考例に示すように、投写型映像表示装置１を天井吊下げ取付状態とした場合には、下方のリモコン２からの操作を容易にするために、天井吊下げ取付状態の下面、すなわち図６（ａ）の床置き正立取付状態における上面板１２にリモコン受光部３を設けて欲しいというニーズがある。そこで、このような操作を可能とするために、一般的なリモコン操作を行う筐体１０の正面板側にリモコン受光部３を設けるとともに、図６（ａ），（ｂ）に示すように、床置き正立取付状態時の筐体１０の上面板側にリモコン受光部４を設けることが考えられる。また、このように複数のリモコン受光部３，４を設ける場合はリモコン受光部３，４の受光素子を実装する基板を共通化することにより、基板の数やケーブルの数を減らしてコスト軽減したり、デザインとの調和を図ったりするために、リモコン受光部３，４をコーナ部に設け、筐体１０内部において両者を隣接させるようにすることが考えられる。
【０００５】
そこで、このような多方向からの操作を可能とした構造の参考例を図７及び図８に示す。なお、図７は、図６の斜視図として記載したものであり、図８は図７におけるＡ−Ａ断面図として記載したものであるが、この参考例は本発明者が本発明との比較のために想定したものであって、従来公知のものではない。この参考例において、正面板側のリモコン受光部３は、正面板１１に形成された受光窓３１とこの受光窓３１に対面するように筐体１０内の基板５上に設けられた受光素子３２とを備えている。また、上面板側のリモコン受光部４は、上面板１２に形成された受光窓４１とこの受光窓４１に対面するように筐体１０内の基板５上に設けられた受光素子４２とを備えている。
【０００６】
両リモコン受光部３，４は、このように筐体１０の図示右上隅部に隣接するように配置されている。なお、この明細書において前後左右の方向をいうときは、図７の状態を基準とするとともにリモコン受光部３の取り付けられている面を前面（正面）として定まる前後左右方向をいうものとする。また、受光素子３２，４２や、この受光素子３２，４２により受信された信号を処理する処理回路などを搭載した基板５が両リモコン受光部３，４に対し共通とされている。このために、基板５は、正面板１１及び上面板１２に対し垂直となる平面上に取り付けられるように、取付板５１に対し取付ねじ５２によりねじ止めされている。
【０００７】
このような投写型映像表示装置１を例えば図６（ａ）のように床置き正立取付状態とし，リモコン２からの赤外線信号２１を正面板１１のリモコン受光部３で受光する場合に、天井に配置された蛍光灯６からの赤外線ノイズ６１が上面板１２の受光窓４１から筐体１０内に侵入することが考えられる。同様に、図６（ｂ）のように天井吊設置とし，リモコン２からの赤外線信号２１を下方のリモコン受光部４で受光する場合に、天井に配置された蛍光灯６からの赤外線ノイズ６１が正面板１１の受光窓３１から筐体１０内に侵入することが考えられる。
【０００８】
そして、上記構成のものでは、二つの受光素子３２，４２が赤外線ノイズ６１の伝搬が可能な空間により連絡されている。このため、例えば、上面板１２の受光窓４１から侵入した赤外線ノイズ６１は、図８に破線で示すように、筐体１０や他の電子部品５３，５４等で反射した赤外線ノイズ６１となって、正面板側のリモコン受光部３に伝搬することがあり得る。この場合には、赤外線ノイズ６１がリモコン受光部３の受光素子３２に受光されることにより、リモコン受光部３を通じての正常なリモコン操作が阻害されることになる。なお、ここではリモコン受光部４の受光窓４１から赤外線ノイズ６１が侵入する場合を示したが、リモコン受光部３の受光窓３１から赤外線ノイズ６１が侵入する場合も同様である。
【０００９】
このように複数のリモコン受光部３，４を近接して設けると、赤外線の伝搬経路が空間的に連続し、一方の受光窓３１，４１から侵入した赤外線ノイズ６１により、他のリモコン受光部３，４を通じてのリモコン操作が影響を受けるという問題が考えられる。しかし、特許文献１にはこのような問題点に関し何ら触れるところがない。また、複数のリモコン受光部３，４を使用する場合に、使用するリモコン受光部３，４を選択することは制御装置による制御機能として実現することも可能である。しかしながら、このようにしても、互いの赤外線の伝搬経路が空間的に連続している以上、一のリモコン受光部３，４に侵入した赤外線ノイズ６１により、他のリモコン受光部３，４を通してのリモコン操作が阻害されることを防止することはできない。
【００１０】
本発明は、このような事情に鑑み、複数のリモコン受光部を近接して配置している場合に、一のリモコン受光部から侵入した赤外線ノイズにより他のリモコン受光部を通してのリモコン操作が阻害されることを効果的に防止するようにした電子機器を提供することを目的とする。
【課題を解決するための手段】
【００１１】
本発明に係るリモコン受光装置は、このような目的を達成するために成されたものであって、電子機器の外板を成す筐体と、この筐体に設けられた受光窓及びこの受光窓に対面するように前記筐体内に配置された受光素子を含む、複数のリモコン受光部と、この複数のリモコン受光部の受光素子を取り付けた基板とを備えたリモコン受光装置であって、一のリモコン受光部の受光窓から筐体内に侵入した赤外線ノイズが他のリモコン受光部の受光素子へ伝搬することを阻止するための伝搬阻止部材が設けられていることを特徴とする。上記構成によれば、一のリモコン受光部の受光窓から筐体内に侵入した赤外線ノイズは、伝搬阻止部材により他のリモコン受光部へ伝搬することが阻止されるので、他のリモコン受光部を通しての正常なリモコン操作が阻害されない。
【００１２】
また、前記複数の受光窓は、互いに連結されずに独立に前記筐体に形成されていることが好ましい、仮に、複数の受光窓が互いに連結して形成されている場合には、何れかの受光素子に対応する受光窓部分に赤外線ノイズが照射されると、赤外線ノイズが他のリモコン受光部の受光素子にも伝搬され易くなる。
【００１３】
また、前記伝搬阻止部材は、前記筐体を利用して他のリモコン受光部への赤外線ノイズの伝搬を阻止するように形成されていることが好ましい。このように構成すると、伝搬阻止部材を簡素化することができる。このように筐体が存在する以上これを利用して赤外線ノイズの伝搬を阻止することが最も基本的な構成である。
【００１４】
また、前記伝搬阻止部材は、前記基板を利用して他のリモコン受光部への赤外線ノイズの伝搬を阻止するように形成されていることが好ましい。基板に取り付けられた受光素子を隔離するものであるので、基板を利用して伝搬阻止部材を構成することにより伝搬阻止部材の構成を簡素化することができる。
【００１５】
前記伝搬阻止部材は、基板上においてリモコン受光部間を仕切る仕切壁を利用して他のリモコン受光部への赤外線ノイズの伝搬を阻止するように形成されていることが好ましい。このように構成すると、赤外線ノイズの直接的な伝搬を効率的に阻止することができ、この仕切壁を用いるだけでも多くの赤外線ノイズの伝搬を阻止することができる。
【００１６】
前記仕切壁は、その一端が受光窓間の筐体に対し当接又は近接するように配置されていることが好ましい。このように構成すると、仕切壁と筐体との間に形成される隙間を小さくし、仕切壁と筐体とでリモコン受光部の周りの赤外線ノイズが通過し易い部分を囲うことができるので、簡素化された構造で効果的に赤外線ノイズの伝搬を防止することができる。
【００１７】
前記伝搬阻止部材は、前記基板に取り付けられた受光素子を覆うように基板に対して取り付けられる覆部材を含むことが好ましい。このように構成すると、覆部材内の空間と覆部材１１０内の空間とは受光窓内側の空間を介して隙間が形成される連通する隙間を残して受光素子の周囲を覆うことができるので、受光窓から覆部材内への赤外線信号の伝搬経路を残して覆部材の内外空間が一応遮蔽される。したがって、覆部材の内外間の赤外線ノイズの伝搬を略防止することができる。
【００１８】
前記伝搬阻止部材は、受光窓周囲の筐体部分と覆部材との間に形成される隙間が、覆部材内の空間を含む受光窓の内側の空間と覆部材の外側の空間との赤外線ノイズ伝搬経路となることを阻止するための封鎖部材を含むことが好ましい。このような封鎖部材を利用することにより、覆部材外の空間と覆部材内の空間とを連通する隙間が受光窓内側の空間に形成され、この隙間を残して受光素子の周囲を覆うことができる。したがって、受光窓から覆部材内への赤外線の伝搬経路を残して覆部材の内外空間が一応遮断される。
【００１９】
また、本発明に係る電子機器は、上記記載の何れかのリモコン受光装置を搭載したことを特徴とする。このような電子機器にすると、多方向からのリモコン操作を支障なく行うことができる。
【００２０】
また、前記電子機器を投写型映像表示装置としてもよい。このように構成された投写型映像表示装置によれば、床置き、壁掛け、天井吊などの種々の取り付け状態においてリモコン操作を容易かつ確実化することができる。
【発明の効果】
【００２１】
本発明に係るリモコン受光装置によれば、一のリモコン受光部の受光窓から筐体内へ侵入した赤外線ノイズは、伝搬阻止部材により他のリモコン受光部へ伝搬することが阻止されるので、他のリモコン受光部を通しての正常なリモコン操作が阻害されない。
【図面の簡単な説明】
【００２２】
【図１】本発明の実施の形態に係る投写型映像表示装置におけるリモコン受光装置の図面であって、（ａ）は組み込み状態の斜視図であり、（ｂ）はその断面図である。
【図２】同リモコン受光装置に係り（ａ）は斜視図であり、（ｂ）は分解斜視図である。
【図３】同リモコン受光装置における伝搬阻止部材の機能説明図である。
【図４】変形例に係るリモコン受光装置の断面図である。
【図５】他の変形例に係るリモコン受光装置の斜視図である。
【図６】参考例としての投写型映像表示装置の説明図であって、（ａ）は投写型映像表示装置を床置き正立状態に取り付けた状態図であり、（ｂ）は投写型映像表示装置を天井吊下げ状態に取り付けた状態図である。
【図７】同投写型映像表示装置の外観斜視図である。
【図８】図７におけるＡ−Ａ断面図である。
【発明を実施するための形態】
【００２３】
以下、本発明の実施の形態に係る投写型映像表示装置におけるリモコン受光装置について図１〜図３を参照しながら説明する。なお、前述の参考例と共通する要素には同一の符合を付し、その説明を簡略化する。
【００２４】
この実施の形態に係る電子機器としての投写型映像表示装置１は、前述の参考例に係る投写型映像表示装置（図７参照）の外観と同一であり、リモコン２により多方向から操作可能とするために右上角部の正面板１１及び上面板１２にリモコン受光部３，４が取り付けられている。したがって、投写型映像表示装置１は、前述の図６〜図８に示した参考例のものと比較すると、リモコン受光部３，４の受光窓３１，４１の筐体１０に対する取付は同一であり、受光素子３２，４２が取り付けられる基板５の取付も同一である。
【００２５】
また、この実施の形態に係る投写型映像表示装置における受光装置は、図６〜図８の参考例に示したものにおいて、伝搬阻止部材１００を取り付けたものである。この伝搬阻止部材１００は、一のリモコン受光部３，４の受光窓３１，４１から侵入した赤外線ノイズ６１が他のリモコン受光部３，４の受光素子３２，４２へ伝搬することを阻止するものである。
【００２６】
上記構成において、受光窓３１，４１は、それぞれ独立の透光板により形成されている。また、両受光窓３１，４１の大きさは必要最小限に形成されている。したがって、両受光窓３１，４１間には、図１、図３等に示すように、筐体１０を構成する正面板１１及び上面板１２が存在しており、正面板１１と上面板１２とが直角に接合するコーナ部が形成されている。なお、この筐体１０は、樹脂や、鉄、アルミニウムなどの金属材料などの非透光性部材により形成されている。
【００２７】
伝搬阻止部材１００（図１参照）は、本発明における基本構成要素であるので、以下この伝搬阻止部材１００について詳しく説明する。
伝搬阻止部材１００は、基板５、筐体１０を利用するものであって、基板５に対し一の受光素子、この場合は上面側の受光素子４２を覆うように被せて取り付けられる覆部材１１０を有している。また、伝搬阻止部材１００は、受光窓４１周囲の筐体部分である上面板１２と覆部材１１０との間に形成される隙間が、覆部材１１０内の空間を含む受光窓４１の内側の空間と覆部材１１０の外側の空間との赤外線ノイズ６１の伝搬経路とならないようにするための封鎖部材１２０を有している。
【００２８】
覆部材１１０は、基板５上において両リモコン受光部３，４の受光素子３２，４２間を仕切る仕切壁１１１、受光素子４２の上面板側を覆う上壁１１２、受光素子４２の背面側を覆う背面壁１１３、受光素子４２の基板５の対向側を覆う側面壁１１４、基板５に引掛ける係止壁１１５、取付片を成す取付壁１１６を備えている。そして、これらにより側面視略三角形の容器状物を成すように一体的に形成されている。また、この覆部材１１０の下方背面側には、取っ手部としての突出壁１１７が形成されている。
【００２９】
上記構成において、上壁１１２は、赤外線信号２１を導入する通路を維持するために、受光素子４２の上部を覆わないように仕切壁１１１に至る手前までの長さとされている。また、仕切壁１１１は、上面板側の端面が受光窓３１，４１間の筐体１０に対し、特に正面板１１と上面板１２との結合コーナ部に対し近接するように配置されている。このように仕切壁１１１の上面板側の端面を筐体１０に近接させるのは、仕切壁１１１の上面板側の端面と筐体１０との隙間が赤外線の伝搬経路となるのを阻止するためである。仕切壁１１１の上面板側の端面を筐体１０に近接させることにより、ここを通過しようとする赤外線ノイズ６１が仕切壁１１１、正面板１１、上面板１２などにより反復的に反射され、減衰されるようにしている。この減衰は仕切壁１１１、正面板１１、上面板１２などに赤外線が入射したときに、エネルギーの一部が入射した材料に吸収されることによる。具体的には、樹脂などの誘電体材料に赤外線が入射すると、そのエネルギーの一部が吸収されることによる。反射を繰り返すうちに赤外線は減少していく。また、これと同様な理由から、基板５の上端面も上面板１２に対し近接するように形成されており、さらに、覆部材１１０の上壁１１２も上面板１２に対し近接するように形成されている。
【００３０】
また、取付壁１１６には、取付板５１に対し基板５と共締めできるように取付ねじ５２を貫通させるための２個の貫通孔１１５ａ（図２（ｂ）参照）が設けられている。そして、取付板５１にはねじ孔５１ａが設けられるとともに、その裏面にはねじ座として当て金５１ｂが取り付けられており、さらに、基板５には取付ねじ５２を貫通させるための貫通孔５ａが形成されている。上記のように構成されていることにより、前記略三角形の容器状物として形成された覆部材１１０と基板５とが、取付板５１に対し取付ねじ５２により共締めで取り付けられている。なお、このように構成される覆部材１１０は、鉄、アルミニウムなどの金属材料、樹脂、ゴムなどの材料により形成されている。
【００３１】
したがって、受光素子４２に被せるように覆部材１１０を基板５に対して取り付けると、受光窓４１から覆部材１１０内への赤外線信号２１の伝搬経路を残して、受光素子４２が他の受光素子３２から略隔離され、二つの受光窓３１，４１の一方から侵入した赤外線ノイズ６１が他方の受光素子３２の方に伝搬されることを略防止することができる。
【００３２】
封鎖部材１２０は、覆部材１１０と上面板１２との隙間が、覆部材１１０内の空間を含む受光窓４１の内側の空間と覆部材１１０の外側との空間との間の赤外線ノイズ６１の伝搬経路を構成しないようにするものである。そして、封鎖部材１２０は、基板５と覆部材１１０との組み合わせ物を基板側及び反基板側から僅かな隙間１２１ａ，１２２ａを介して挟み込む垂下壁１２１，１２２により構成されている。これら垂下壁１２１，１２２は、上面板１２から垂下されるように上面板１２と一体的に形成されている。また、上記のように僅かな隙間１２１ａ，１２２ａを設けたのは、ここを通過しようとする赤外線ノイズ６１が反復的に反射されて減衰され、これにより覆部材１１０と上面板１２との隙間の左右の開口端を実質的に封鎖したものである。
【００３３】
また、上記のように僅かな隙間１２１ａ，１２２ａを設けたのは、ここを通過しようとする赤外線ノイズ６１が反復的に反射されて減衰され、これにより覆部材１１０と上面板１２との隙間の左右の開口端を実質的に封鎖できるようにするためである。隙間１２１ａ、１２２ａは、生じないように当接させるように設けるほうが好ましい。しかし、図１（ｂ）に示すように、経済的な理由や製造上の理由から、隙間を完全になくすことが困難な場合においても、封鎖部材は有効である。
【００３４】
本実施の形態に係るリモコン受光装置及びこのリモコン受光装置を用いた投写型映像表示装置は以上のごとく形成されているので、次のようにして一のリモコン受光部３，４の受光窓３１，４１に侵入した赤外線ノイズ６１が他のリモコン受光部３，４の受光素子３２，４２へ伝搬するのを阻止することができる。
【００３５】
例えば、図６（ａ）及び図３のように、上面板側の受光窓４１から赤外線ノイズ６１が侵入する場合、侵入した赤外線ノイズ６１は覆部材１１０内等において反射を繰り返し最終的には覆部材１１０と上面板１２との隙間から覆部材１１０の外に伝搬することになる。しかし、図１（ｂ）に示すように、基板５と覆部材１１０との組み合わせ物と上面板１２との隙間は小さく、この隙間を通過する際に赤外線ノイズ６１が反復的に反射して減衰される。また、この隙間の左右端から覆部材１１０の外側に伝搬した赤外線ノイズ６１は、基板５と封鎖部材１２０を構成する垂下壁１２１との隙間１２１ａ或いは側面壁１１４と封鎖部材１２０を構成する垂下壁１２２との隙間１２２ａにてさらに反復的に反射されて減衰されるので、この隙間１２１ａ，１２２ａにおいて赤外線ノイズ６１の伝搬が阻止される。
【００３６】
また、基板５と覆部材１１０との組み合わせ物の前部においては、仕切壁１１１の上端面が上面板１２と正面板１１とのコーナ部に近接しているため、この部分を通過する赤外線ノイズ６１は仕切壁１１１、正面板１１、上面板１２の相互間で反復的に反射が行われ、赤外線ノイズ６１の伝搬が阻止される。また、基板５と覆部材１１０との組み合わせ物の後部においても、上壁１１２と上面板１２との間に隙間が小さく形成されているため、前部の場合と同様に赤外線ノイズ６１の伝搬が阻止される。
【００３７】
以上は、受光窓４１から赤外線ノイズ６１が侵入し、正面側のリモコン受光部３を通じてリモコン操作が行われようとしている場合について述べたが、その逆の場合、すなわち、例えば図６（ｂ）のように受光窓３１から赤外線ノイズ６１が侵入し、上面側のリモコン受光部４を通じてリモコン操作が行われようとしている場合についても同様である。より具体的には、基板５と覆部材１１０との組み合わせ物の前部において仕切壁１１１の上端面が上面板１２に近接しているため、この部分を通過する赤外線ノイズ６１は、仕切壁１１１や筐体１０との間で反復的に反射が行われ、赤外線ノイズ６１の伝搬が阻止される。また、基板５と覆部材１１０との組み合わせ物の後部においても、上壁１１２と上面板１２との間の隙間が小さいため、ここを通過して覆部材１１０内に侵入しようとする赤外線ノイズ６１は、この隙間にて反復的に反射して減衰されるので、その伝搬が阻止される。
【００３８】
また、基板５と垂下壁１２１との隙間１２１ａ或いは側面壁１１４と垂下壁１２２との隙間１２２ａを通して覆部材１１０と上面板１２との左右の隙間から覆部材１１０内へ伝搬しようとする赤外線ノイズ６１は、隙間１２１ａ或いは隙間１２２ａ、及び覆部材１１０と上面板１２との隙間において、それぞれ反復的に反射して減衰される。したがって、これら隙間を通じての赤外線ノイズ６１の覆部材１１０内への伝搬が阻止される。
【００３９】
このようにして、本実施の形態に係るリモコン受光装置においては、一のリモコン受光部３，４の受光窓３１，４１に侵入した赤外線ノイズ６１が他のリモコン受光部３，４の受光素子３２，４２への伝搬を阻止することができ、他のリモコン受光部３，４を介してのリモコン操作が阻害されることがない。
【００４０】
この実施の形態に係るリモコン受光装置は、以上のように構成されているので、次のような作用効果を奏することができる。
（１）一のリモコン受光部３，４の受光窓３１，４１から侵入した赤外線ノイズ６１は、伝搬阻止部材１００により他のリモコン受光部３，４へ伝搬することが阻止されるので、他のリモコン受光部３，４を通しての正常なリモコン操作が阻害されない。
【００４１】
（２）また、複数の受光窓３１，４１が互いに連結して形成されている場合には、何れかの受光窓３１，４１部分に赤外線ノイズ６１が照射されると、赤外線ノイズ６１が他のリモコン受光部３，４の受光素子３２，４２にも伝搬され易くなる。しかし、この実施の形態においては、複数（具体的には２個）の受光窓３１，４１が互いに連結されずに独立に筐体１０に形成されているのでそのような弊害は生じない。
【００４２】
（３）また、伝搬阻止部材１００は、筐体１０を利用して他のリモコン受光部３，４への赤外線ノイズ６１の伝搬を阻止するように形成されている。これにより伝搬阻止部材１００の構成が簡素化されている。
【００４３】
（４）また、前記伝搬阻止部材１００は、基板５を利用して他のリモコン受光部３，４への赤外線ノイズ６１の伝搬を阻止するように形成されている。これにより伝搬阻止部材１００の構成が簡素化されている。
【００４４】
（５）伝搬阻止部材１００は、基板５上においてリモコン受光部３，４間を仕切る仕切壁１１１を利用して他のリモコン受光部３，４への赤外線ノイズ６１の伝搬を阻止するように形成されている。仕切壁１１１は、図３に示すように他の受光素子３２，４２への赤外線ノイズ６１（図３における破線）の直接的な伝搬を防止するので、赤外線ノイズ６１の伝搬防止に貢献するところ大である。因みに、伝搬阻止部材を仕切壁１１１のみで構成しても大きな効果を得ることができる。
【００４５】
（６）仕切壁１１１は、図３からよく分かるように、その一端が受光窓３１，４１間の筐体１０に対し、特に正面板１１と上面板１２との結合コーナ部に対し近接するように配置されている。これにより仕切壁１１１と筐体１０とでリモコン受光部３，４周りの赤外線ノイズ６１が通過し易い部分を囲うことができるので、簡素化された構造で効果的に赤外線ノイズ６１の伝搬を防止することができる。また、ここを通過しようとする赤外線ノイズ６１が、仕切壁１１１や筐体１０により反復的に反射されて減衰されるので、その伝搬が防止される。
【００４６】
（７）伝搬阻止部材１００を構成する覆部材１１０は、受光窓４１から覆部材１１０内への赤外線信号２１の伝搬経路を残して、受光素子３２，４２を覆うように基板５に対し取り付けられるので、覆部材１１０の内外間の赤外線ノイズ６１の伝搬を略防止することができる。
【００４７】
（８）伝搬阻止部材１００を構成する封鎖部材１２０は、覆部材１１０内の空間を含む受光窓４１の内側の空間と覆部材１１０の外側の空間との隙間が赤外線ノイズ６１の伝搬経路となることを阻止する。具体的には、封鎖部材１２０は、基板５に対向して僅かな隙間１２１ａをおいて配置される垂下壁１２１と、側面壁１１４に対向して僅かな隙間１２２ａをおいて配置される垂下壁１２２とから構成されている。したがって、この封鎖部材１２０により、覆部材１１０と筐体１０間に形成される隙間の左右開口端を経由する赤外線ノイズ６１の伝搬は、反復的な反射により減衰され、その伝搬が有効に阻止される。
【００４８】
（９）また、基板５と覆部材１１０との組み合わせ物の前部においては、仕切壁１１１の上端面が上面板１２と正面板１１とのコーナ部に近接して取り付けられているため、この部分を通過する赤外線ノイズ６１が反復的な反射により減衰され、その伝搬が阻止される。また、基板５と覆部材１１０との組み合わせ物の後部においても、上壁１１２と上面板１２との間の隙間が小さく形成されているため、前部の場合と同様に赤外線ノイズ６１が反復的に反射により減衰され、その伝搬が阻止される。
【００４９】
（１０）本実施の形態に係る電子機器は、上記記載のリモコン受光装置を搭載しているので、多方向からのリモコン操作を支障なく行うことができる。
（１１）また、本発明に係る実施の形態に係る電子機器としての投写型映像表示装置は、上記記載のリモコン受光装置を搭載しているので、床置き、壁掛け、天井吊などの種々の取付状態においてリモコン操作を容易かつ確実化することができる。
【００５０】
（変形例）
本発明は、上記実施の形態において以下のように変更することもできる。
・伝搬阻止部材１００は、仕切壁１１１のみで構成してもよい。このように構成した場合においても、前記実施の形態において触れたように、かなりの効果を奏することができる。
【００５１】
・また、先の実施の形態においては、仕切壁１１１の上端面を正面板１１と上面板１２との接合コーナ部に近接するように構成している。しかしながら、組み付け上許されるならば、仕切壁１１１の上端面を正面板１１と上面板１２との当接するようにしてもよく、こうするほうが赤外線ノイズの伝搬を阻止することが容易になる。
【００５２】
・また、伝搬阻止部材１００は、覆部材１１０のみとし封鎖部材１２０を省略することもできる。このように構成しても前述のように一方のリモコン受光部３，４がほぼ覆われるので、赤外線ノイズ６１の伝搬を略阻止することができる。
【００５３】
・前記実施の形態においては、上面板側のリモコン受光部４の受光素子４２を覆うように伝搬阻止部材１００を取り付けていたが、これとは逆に正面板側のリモコン受光部３の受光素子３２を覆うように構成しても同様の効果を奏することができるのはいうまでもない。
【００５４】
・前記実施の形態においては垂下壁１２１，１２２を上面板１２と一体のものとして成形していたが、これを図４に示すように別物とし、接着、溶接などの適宜の手段により上面板１２に固定するようにしてもよい。なお、別物とすると垂下壁１２１，１２２と上面板１２との間に僅かな隙間が形成されることもあるが、隙間が形成された場合にはその分赤外線ノイズ６１の遮蔽効果が小さくなることは避け難い。
【００５５】
・前記実施の形態においては、上壁１１２は、受光素子４２の上部を覆わないように仕切壁１１１に至る手前までの寸法とされていたが、これを図５のように仕切壁１１１の上端面に連結できる長さとし、赤外線信号２１を通過させることのできる孔１１２ａを設けるようにしてもよい
【産業上の利用可能性】
【００５６】
本発明に係るリモコン受光装置は、投写型映像表示装置以外の種々の電子機器に幅広く用いることができる。
【符号の説明】
【００５７】
１…投写型映像表示装置、３…リモコン受光部、４…リモコン受光部、５…基板、１０…筐体、３１…受光窓、３２…受光素子、４１…受光窓、４２…受光素子、６１…赤外線ノイズ、１００…伝搬阻止部材、１１０…覆部材、１１１…仕切壁、１２０…封鎖部材、１２１ａ，１２２ａ…隙間。
【図１】
2011070015.tif 000003
【図２】
2011070015.tif 000004
【図３】
2011070015.tif 000005
【図４】
2011070015.tif 000006
【図５】
2011070015.tif 000007
【図６】
2011070015.tif 000008
【図７】
2011070015.tif 000009
【図８】
2011070015.tif 000010